(57)【要約】【課題】  墨を含む４色信号から墨を含む５色ないし７色信号に変換する色変換処理として、入出力装置間での墨量を一致させるとともに墨１色での表現を墨１色で出力可能なカラー画像処理方法および装置を提供する。【解決手段】  入力されたＹＭＣＯＧＫ色信号を機器独立色空間変換部３１でＬ* ａ* ｂ* 色信号に変換した後、３原色信号変換部３４でＹ”Ｍ”Ｃ”色信号に変換する。一方、入力された墨Ｋ信号は、階調補正部２３で出力装置での墨量が一致するようにＫ’信号に変換される。墨量減算部３５は、Ｙ”Ｍ”Ｃ”色信号からＫ’信号に相当する成分を減算し、さらにクロマチックＵＣＲ変換部で特色のＲ’Ｇ’Ｂ’色信号を生成し、またＹ’Ｍ’Ｃ’色信号を出力する。また一方、Ｋ信号以外が零であることを非墨色判定部３３で検出すると、非墨色修正部３７はＫ’以外を零とする。画像記録信号出力部３８は、Ｙ’Ｍ’Ｃ’Ｒ’Ｇ’Ｂ’及びＫ’を出力する。【選択図】  図２
2005039584.tif 000002
【特許請求の範囲】
【請求項１】
墨を含む４色以上からなる第１の色信号を、墨を含む５色ないし７色からなる第２の色信号に変換するカラー画像処理方法において、前記第１の色信号から表色系色座標上の機器独立色信号を決定する第１の変換ステップと、前記第１の色信号の墨信号から前記第２の色信号の墨信号を決定する第２の変換ステップと、前記機器独立色信号を前記第２の色信号の３色信号に変換する第３の変換ステップと、前記第２の色信号の前記３色信号から第２の色信号の墨信号に相当する成分を減算した補正３色信号を決定する第４の変換ステップと、前記第２の色信号の前記補正３色信号から前記第２の色信号の他の１ないし３色の特色信号に関するＵＣＲ（Ｕｎｄｅｒ  Ｃｏｌｏｒ  Ｒｅｍｏｖａｌ）処理により前記第２の色信号の前記特色信号を決定するとともに前記第２の色信号の前記補正３色信号から前記第２の色信号の特色信号に相当する成分を減算して前記第２の色信号の出力３色信号を決定する第５の変換ステップを有し、前記第２の変換ステップで得た墨信号と前記第５の変換ステップで得た前記出力３色信号および前記特色信号を第２の色信号として出力することを特徴とするカラー画像処理方法。
【請求項２】
さらに、前記第１の色信号における墨以外の色信号が零の場合に前記第２の色信号における墨以外の色信号を零と設定して出力する第６の変換ステップを有することを特徴とする請求項１に記載のカラー画像処理方法。
【請求項３】
前記第４の変換ステップにおいて、前記第２の色信号の墨信号にＵＣＲ率を乗ずることにより前記第２の色信号の墨信号に相当する成分を決定し、決定した前記第２の色信号の墨信号に相当する成分を前記第２の色信号の前記３色信号の最小値以下に規制し、規制後の前記第２の色信号の墨信号に相当する成分を前記第２の色信号の前記３色信号から減算することにより前記補正３色信号を決定することを特徴とする請求項１または請求項２に記載のカラー画像処理方法。
【請求項４】
前記第５の変換ステップにおいて、前記補正３色信号の２色の組み合わせの最小値より第１の特色信号に相当する成分を決定し、前記第１の特色信号に相当する成分の最大値を前記補正３色信号から減算すべき第２の特色信号に相当する成分として決定し、前記第２の特色信号に相当する成分にＵＣＲ率を乗ずることにより前記第２の色信号の特色信号を決定し、前記第２の色信号の特色信号を前記補正３色信号から減算することにより前記第２の色信号の出力３色信号を決定することを特徴とする請求項１ないし請求項３のいずれか１項に記載のカラー画像処理方法。
【請求項５】
前記第２の色信号は、墨とイエロー（Ｙ）、マゼンタ（Ｍ）およびシアン（Ｃ）に１色ないし３色の特色を加えた５色ないし７色からなることを特徴とする請求項１ないし請求項４のいずれか１項に記載のカラー画像処理方法。
【請求項６】
前記第２の色信号における特色は、レッド、グリーン、ブルーのうちの少なくとも１色であることを特徴とする請求項５に記載のカラー画像処理方法。
【請求項７】
前記表色系色座標上の機器独立色信号はＬ* ａ* ｂ* 色信号であることを特徴とする請求項１ないし請求項６のいずれか１項に記載のカラー画像処理方法。
【請求項８】
前記第２の変換ステップは、ルックアップテーブルを用いて前記第１の色信号の墨信号から前記第２の色信号の墨信号を決定することを特徴とする請求項１ないし請求項７のいずれか１項に記載のカラー画像処理方法。
【請求項９】
墨を含む４色以上からなる第１の色信号を、墨を含む５色ないし７色からなる第２の色信号に変換するカラー画像処理装置において、前記第１の色信号から表色系色座標上の機器独立色信号を決定する機器独立色空間変換手段と、前記第１の色信号の墨信号から前記第２の色信号の墨信号を決定する墨信号補正手段と、前記機器独立色信号を前記第２の色信号の３色信号に変換する３色信号変換手段と、前記第２の色信号の前記３色信号から第２の色信号の墨信号に相当する成分を減算した補正３色信号を決定する墨量減算手段と、前記第２の色信号の前記補正３色信号から前記第２の色信号の他の１ないし３色の特色信号に関するＵＣＲ処理により前記第２の色信号の前記特色信号を決定するとともに前記第２の色信号の前記補正３色信号から前記第２の色信号の特色信号に相当する成分を減算して前記第２の色信号の出力３色信号を決定するクロマチックＵＣＲ変換手段を有し、前記第２の変換ステップで得た墨信号と前記第５の変換ステップで得た前記出力３色信号および前記特色信号を第２の色信号として出力することを特徴とするカラー画像処理装置。
【請求項１０】
さらに、前記第１の色信号における墨以外の色信号が零の場合に前記第２の色信号における墨以外の色信号を零と設定して出力する非墨色修正手段を有することを特徴とする請求項９に記載のカラー画像処理装置。
【請求項１１】
前記墨量減算手段は、前記第２の色信号の墨信号にＵＣＲ率を乗ずることにより前記第２の色信号の墨信号に相当する成分を決定し、決定した前記第２の色信号の墨信号に相当する成分を前記第２の色信号の前記３色信号の最小値以下に規制し、規制後の前記第２の色信号の墨信号に相当する成分を前記第２の色信号の前記３色信号から減算することにより前記補正３色信号を決定することを特徴とする請求項９または請求項１０に記載のカラー画像処理装置。
【請求項１２】
前記クロマチックＵＣＲ変換手段は、前記補正３色信号の２色の組み合わせの最小値より第１の特色信号に相当する成分を決定し、前記第１の特色信号に相当する成分の最大値を前記補正３色信号から減算すべき第２の特色信号に相当する成分として決定し、前記第２の特色信号に相当する成分にＵＣＲ率を乗ずることにより前記第２の色信号の特色信号を決定し、前記第２の色信号の特色信号を前記補正３色信号から減算することにより前記第２の色信号の出力３色信号を決定することを特徴とする請求項９ないし請求項１１のいずれか１項に記載のカラー画像処理装置。
【請求項１３】
前記第２の色信号は、墨とイエロー（Ｙ）、マゼンタ（Ｍ）およびシアン（Ｃ）に１色ないし３色の特色を加えた５色ないし７色からなることを特徴とする請求項９ないし請求項１２のいずれか１項に記載のカラー画像処理装置。
【請求項１４】
前記第２の色信号における特色は、レッド、グリーン、ブルーのうちの少なくとも１色であることを特徴とする請求項１３に記載のカラー画像処理装置。
【請求項１５】
前記表色系色座標上の機器独立色信号はＬ* ａ* ｂ* 色信号であることを特徴とする請求項９ないし請求項１４のいずれか１項に記載のカラー画像処理装置。
【請求項１６】
前記墨信号補正手段は、ルックアップテーブルにより構成されていることを特徴とする請求項９ないし請求項１５のいずれか１項に記載のカラー画像処理装置。
【請求項１７】
墨を含む４色以上からなる第１の色信号を、墨を含む５色ないし７色からなる第２の色信号に変換するカラー画像処理装置において、複数の第１の色信号と該第１の色信号のそれぞれについて請求項１ないし請求項８のいずれか１項に記載の画像処理方法あるいは請求項９ないし請求項１６のいずれか１項に記載の画像処理装置によって求めた第２の色信号との対をパラメータとして任意の第１の色信号を第２の色信号に変換する色変換手段を有することを特徴とするカラー画像処理装置。
【請求項１８】
前記色変換手段は、補間機能を有したダイレクトルックアップテーブルで構成されていることを特徴とする請求項１７に記載のカラー画像処理装置。
【請求項１９】
墨を含む４色以上からなる第１の色信号を、墨を含む５色ないし７色からなる第２の色信号に変換する処理をコンピュータに実行させるカラー画像処理プログラムにおいて、請求項１ないし請求項８のいずれか１項に記載のカラー画像処理方法をコンピュータに実行させることを特徴とするカラー画像処理プログラム。
【請求項２０】
墨を含む４色以上からなる第１の色信号を、墨を含む５色ないし７色からなる第２の色信号に変換する処理をコンピュータに実行させるプログラムを格納したコンピュータが読取可能な記憶媒体において、請求項１ないし請求項８のいずれか１項に記載のカラー画像処理方法をコンピュータに実行させるプログラムを格納したことを特徴とするコンピュータが読取可能な記憶媒体。
【発明の詳細な説明】
【技術分野】
【０００１】
本発明は、入力されるカラー画像信号を、カラープリンタなどのカラー画像記録信号に変換するカラー画像処理技術に関するものであり、より詳細には、墨を含む４色以上のカラー画像信号を墨と特色を含めた５色ないし７色のカラー画像記録信号に変換する技術に関するものである。
【背景技術】
【０００２】
印刷技術では、イエロー（Ｙ）、マゼンタ（Ｍ）、シアン（Ｃ）および墨（ブラック：Ｋ）の４色プロセス印刷で再現できない鮮やかな色を表現するための技術として、レッド（Ｒ）、グリーン（Ｇ）およびブルー（Ｂ）の原色系インクや蛍光インクで構成される特色をＹＭＣＫの４色に加え、色再現を行っている。特色の色見本としては、Ｐａｎｔｏｎｅ社の色見本などが知られており、１０００色程度の特色が定義されている。
【０００３】
しかしながら、印刷機では最大で８色までしか同時に印刷することができないので、使える特色の数は最大でも８色と非常に少なく、デザイナーからは使用できる特色の数を増やしたいといった要望があった。さらに、版ごとに特色を変更する場合においては、印刷機の清掃作業が発生するため、特色印刷は印刷現場において多大な工数がかかるといった問題があった。
【０００４】
さらに、印刷のワークフローにおいて、自然画の入稿がデジタルカメラで行われるようになってきた。デジタルカメラの色空間であるｓＲＧＢ色空間はＹＭＣＫ４色のプロセスカラー印刷の色域よりも広いため、忠実再現を目的とした印刷の色域拡大の要求がある。
【０００５】
このような問題および要求に対し、印刷技術では、ＹＭＣＫ４色のプロセスカラーに加えてＲＧＢのうち少なくとも１色を加えた５色ないし７色で色再現を行うことにより色域を拡大することを目的としたＨｉＦｉカラー印刷と呼ばれる色再現方法が提案されている。ＨｉＦｉカラー印刷としては、Ｐａｎｔｏｎｅ社のヘキサクローム印刷が広く用いられており、ＹＭＣＫ４色に加えてＲ系のオレンジ（Ｏ）インクとＧインクを加えた６色で色再現を行うことにより、特色の９０％程度を再現できることが知られている。このＨｉＦｉカラー印刷の色再現方法（以下ＨｉＦｉカラーと表記する）は、インクジェット方式や電子写真方式のカラープリンタにもその適用範囲を広げてきており、色域拡大の手法として一般的なものである。
【０００６】
一方、近年のコンピュータ技術、ネットワーク技術およびカラープリンタ技術の発展に伴い、従来は印刷所に発注していた印刷物をオフィスや自宅等でコンピュータを使って電子的な印刷原稿を作成し、小部数の印刷であればオフィスや自宅等で所有しているカラープリンタで出力し、大部数の印刷であれば印刷所に電子原稿で入稿するデスクトップパブリッシング（以下ＤＴＰと表記する）が盛んに行われるようになってきている。ＤＴＰの場合では対象となる出力装置がプリンタなどを含む印刷機である。従って、コンピュータ上で電子的な印刷データを作成する場合は、印刷での画像記録信号で作成するのが一般的である。例えば、プロセスカラー印刷の場合では、イエロー、マゼンタ、シアンおよび墨のＹＭＣＫの４色の色信号を用いて電子原稿を表現し、ヘキサクローム印刷の場合では、イエロー、マゼンタ、シアンおよび墨のＹＭＣＫ４色に加えて、オレンジおよびグリーンを加えたＹＭＣＫＯＧの６色の色信号を用いて電子原稿を表現している。
【０００７】
いずれの色信号を用いた場合も、墨は文字、図形および自然画において、それぞれ違った観点から、電子原稿を作成する編集者によって指定される。具体的には文字および図形については黒文字および黒細線の視認性のために文字や細線の濃淡にかかわらず墨１色で指定される。また図形のグレーの表現もイエロー、マゼンタおよびシアンのプロセス墨で表現するか、墨１色で表現するかは編集者の表現意図により異なる。
【０００８】
一方、自然画においては、フォトレタッチソフトウェアやスキャナにより、通常ＵＣＲやＧＣＲ（Ｇｒａｙ  Ｃｏｌｏｒ  Ｒｅｐｌａｃｅｍｅｎｔ）と呼ばれる墨入れ処理を行って墨を生成している。このとき、濃度の低い領域では粒状性や階調性を確保するために墨入れを行わず、濃度の高い領域のみに墨入れすることが普通である。また、墨入れ量が大きいと色再現性が悪化するので、自然画においては墨入れ率を低く設定することが多い。
【０００９】
このように文字、図形と自然画とでは墨の指定方法が異なっている。従って、プリント出力した場合には編集者の意図どおりに入出力において同じ墨量となり、さらに原稿中において墨１色で指定されている部分は墨１色で出力することが要求されている。
【００１０】
なお、大部数の印刷であれば、電子原稿で指定された色信号に対応する色再現方法で印刷することにより、電子原稿上の色信号を色変換処理する必要はない。しかし、小部数をカラープリンタで出力する場合においては、印刷とカラープリンタの色再現性は大きく異なっているので、印刷の墨を含む４色以上の入力色信号をカラープリンタの墨を含む画像記録信号に変換する色変換処理が必要となる。
【００１１】
ここで、電子原稿で指定された色再現方法がヘキサクローム印刷などのＨｉＦｉカラー印刷である場合には、カラープリンタにおいてもＨｉＦｉカラー印刷と同等の色域が要求されるため、５色ないし７色で色再現するカラープリンタを用いて出力を行う必要がある。そのため、印刷の墨を含む４色以上の入力色信号を、カラープリンタの墨を含む５色ないし７色の画像記録信号に変換する色変換処理が必要である。このようなＨｉＦｉカラーのための色変換処理の従来技術としては、下記の手法が提案されている。
【００１２】
現在、業界標準として広く普及しているＩｎｔｅｒｎａｔｉｏｎａｌ  Ｃｏｌｏｒ  Ｃｏｎｓｏｒｔｉｕｍ（以後ＩＣＣと表記する）の提案する仕様に基づくカラーマネージメントシステム（以後ＣＭＳと表記する）では、入力色信号となるＹＭＣＫ色信号やＹＭＣＫＯＧ色信号など機器依存の色空間の色信号から、Ｌ* ａ* ｂ* やＸＹＺ色空間のような機器独立の色空間の色信号に変換を行った後に、機器依存の色空間の色信号であるカラープリンタの５色ないし７色の画像記録信号に変換する。このような変換処理を行うことにより、入力色信号と出力の画像記録信号が機器独立色信号において一致するため、測色的色再現を保証することが可能である。このようなＣＭＳとしては、Ａｐｐｌｅ社のＭａｃ（登録商標）ＯＳ上に搭載されているＣｏｌｏｒＳｙｎｃやＭｉｃｒｏｓｏｆｔ社のＷｉｎｄｏｗｓ（登録商標）に搭載されているＩＣＭが代表的なものである。
【００１３】
墨を含む４色以上の入力色信号から機器独立の色信号への変換は公知であるので、ＩＣＣに準拠したＨｉＦｉカラーのための色変換処理では、Ｌ* ａ* ｂ* やＸＹＺ色空間のような３変数からなる機器独立の色信号から５色ないし７色の画像記録信号への変換を実現すれば良い。
【００１４】
特許文献１には、ＹＭＣＫＲＧＢの７色プロセスインクで色再現する画像形成装置が記載されている。この画像形成装置では、スキャナなどの入力機器のＲＧＢ信号から、印刷などの出力機器のＹＭＣＫＲＧＢへの色変換をアクロマチック成分（墨成分）とクロマチック成分（ＲＧＢ成分）のＵＣＲにより決定しており、所謂Ｋｕｅｐｐｅｒｓ  Ｔｅｃｈｎｉｑｕｅと呼ばれる手法が提案されている。この手法は、ＨｉＦｉカラーの色変換処理として最初に提案された手法であり、アルゴリズムも簡便であるため、広く活用されている。
【００１５】
Ｋｕｅｐｐｅｒｓ  ＴｅｃｈｎｉｑｕｅをＩＣＣに準拠した色変換に適用することを考えると、Ｌ* ａ* ｂ* 色空間のような機器独立の色信号を公知の３入力３出力の色変換手段によりＲＧＢ色信号に変換し、ＲＧＢ信号にアクロマチック成分とクロマチック成分のＵＣＲ処理を行うことにより、機器独立の色信号から５色ないし７色の画像記録信号への変換が実現できる。
【００１６】
しかしながら、Ｋｕｅｐｐｅｒｓ  Ｔｅｃｈｎｉｑｕｅにおいては、ＩＣＣに準拠したＨｉＦｉカラーのための色変換処理を実現することはできるが、入力色信号となるＹＭＣＫ色信号やＹＭＣＫＯＧ色信号など機器依存の色空間から、Ｌ* ａ* ｂ* やＸＹＺ色空間のような機器独立の色信号に変換を行った際に、入力色信号の墨情報が保持されないので、カラープリンタの５色ないし７色の画像記録信号に変換した際の出力の墨量は入力色信号の墨量と異なってしまうといった問題がある。
【００１７】
また、ＨｉＦｉカラーのための色変換処理としては、５色ないし７色からなるＨｉＦｉカラーの色域について、墨を含む３色もしくは４色の組み合わせで構成される色域に分割し、分割色域内において通常の３色もしくは４色のプリンタと同様の手法で機器独立の色信号から分割色域内における３色もしくは４色の画像記録信号を決定することにより、機器独立の色信号から５色ないし７色の画像記録信号への変換を行う、所謂分割法と呼ばれる手法が提案されている。例えば特許文献２には、墨およびその他の色相の近い２色を組み合わせた分割色域を用いて、機器独立の色信号から５色ないし７色の画像記録信号への変換処理用のダイレクトルックアップテーブル（以下ＤＬＵＴと表記する）の係数を決定する手法が提案されている。また、例えば特許文献３には、墨およびその他の３色を組み合わせた分割色域を用いて機器独立の色信号から５色ないし７色の画像記録信号への変換処理用のＤＬＵＴ係数を決定する方法が提案されている。
【００１８】
しかしながら、分割法においてもＩＣＣに準拠したＨｉＦｉカラーのための色変換処理を実現することはできるが、Ｋｕｅｐｐｅｒｓ  Ｔｅｃｈｎｉｑｕｅの場合と同様に入力色信号の墨情報が保持されないので、出力の墨量は入力色信号の墨量と異なってしまうといった問題がある。
【特許文献１】米国特許第４８１２８９９号明細書
【特許文献２】特開平２０００−３２２８４号公報
【特許文献３】特開平２００１−１３６４０１号公報
【発明の開示】
【発明が解決しようとする課題】
【００１９】
本発明は、上述した事情に鑑みてなされたもので、墨を含む４色以上の入力色信号から墨を含む５色ないし７色の画像記録信号に変換するＨｉＦｉカラーのための色変換処理として、入力である印刷の墨量と出力であるカラープリンタの墨量を一致させることが可能なカラー画像処理方法および装置を提供することを目的とするものである。加えて、電子原稿中において墨１色で指定されている部分は墨１色で出力することが可能なカラー画像処理方法および装置を提供することを目的とするものである。さらに、このような画像処理方法をコンピュータに実行させるプログラム及びそのようなプログラムを格納した記憶媒体を提供することを目的とするものである。
【課題を解決するための手段】
【００２０】
本発明は、墨を含む４色以上からなる第１の色信号を、墨とイエロー、マゼンタおよびシアンに１色ないし３色の特色を加えた５色ないし７色など、墨を含む５色ないし７色からなる第２の色信号に変換するカラー画像処理方法において、第１の変換ステップあるいは機器独立色空間変換手段で第１の色信号から表色系色座標上の機器独立色信号を決定し、第２の変換ステップあるいは墨信号補正手段で第１の色信号の墨信号から第２の色信号の墨信号を決定し、決定した機器独立色信号を第２の色信号の３色信号に第３の変換ステップあるいは３色信号変換手段で変換して、決定した第２の色信号の３色色信号から第２の色信号の墨信号に相当する成分を第４の変換ステップあるいは墨量減算手段で減算することにより補正３色信号を決定し、決定した補正３色信号から第２の色信号の他の１ないし３色の特色信号に関するＵＣＲ処理により第２の色信号の特色信号に相当する成分を決定するとともに補正３色信号から第２の色信号の特色信号に相当する成分を減算した第２の色信号の出力３色信号を第４の変換ステップあるいはクロマチックＵＣＲ変換手段で決定し、第２の変換ステップあるいは墨信号補正手段で決定した墨信号と第４の変換ステップあるいはクロマチックＵＣＲ変換手段で決定した出力３色信号及び特色信号を第２の色信号として出力することを特徴とするものである。このように、ＨｉＦｉカラーのための色変換処理として、第１の色信号の墨信号から直接第２の墨信号を決定することによって、入出力の装置における墨量を一致させることが可能となる。
【００２１】
また、上記の構成に加えて、本発明では、第１の色信号における墨以外の色信号が零の場合に第２の色信号における墨以外の色信号を零と設定する第６の変換ステップあるいは非墨色修正手段を有することを特徴とするものである。このような構成によって、入力の墨を含む４色以上の色信号から出力の墨を含む５色ないし７色の画像記録信号に変換するＨｉＦｉカラーのための色変換処理として、入出力の墨量を一致させることに加えて、電子原稿中において墨１色で指定されている部分は墨１色で出力することが可能となる。
【００２２】
第４の変換ステップあるいは墨量減算手段における第２の色信号の３色信号から第２の色信号の墨信号に相当する成分を減算して補正３色信号を決定する処理としては、第２の色信号の墨信号にＵＣＲ率を乗ずることによって第２の色信号の墨信号に相当する成分を決定し、その第２の色信号の墨信号に相当する成分を第２の色信号の３色信号の最小値以下に規制を行い、規制後の第２の色信号の墨信号に相当する成分を第２の色信号の３色信号から減算することにより補正３色信号を決定することを特徴とするものである。このような構成によって、色再現性を考慮してＵＣＲ率を調整することにより、高明度部における彩度低下などの色再現性の悪化を改善することが可能となるとともに、第２の色信号の墨信号に相当する成分が第２の色信号のＹＭＣ色信号の最小値を超えることが無いので、彩度低下を防止することが可能となる。
【００２３】
また第５の変換ステップあるいはクロマチックＵＣＲ変換手段で補正３色信号から第２の色信号の特色信号に相当する成分を減算して出力３色信号を決定する処理においては、補正３色信号の２色の組み合わせの最小値より第１の特色信号に相当する成分を決定し、その第１の特色信号に相当する成分の最大値を補正３色信号から減算すべき第２の特色信号に相当する成分を決定し、その第２の特色信号に相当する成分にＵＣＲ率を乗ずることにより第２の色信号の特色信号を決定し、決定した第２の色信号の特色信号を補正３色信号から減算することにより第２の色信号の出力３色信号を決定することを特徴とするものである。このような構成によって、特色信号に相当するクロマチック成分が最大値となるような組み合わせに対してＵＣＲ処理を行うことにより、補正３色信号のうちの１色が零となっていなくても色再現に使用する特色を決定することが可能となる。そのうえ、カラープリンタにおけるトナーやインクなどの色材の使用量を減らすことが可能となり、低コスト化が図れるとともに、特色を効率的に使った色再現が図れるので、高彩度な色再現を実現することが可能となる。また、色再現性を考慮してＵＣＲ率を調整することにより、低明度部における明度上昇などの色再現性の悪化を改善することが可能となる。
【００２４】
上述のように第２の色信号としては、墨とイエロー（Ｙ）、マゼンタ（Ｍ）およびシアン（Ｃ）に１色ないし３色の特色を加えた５色ないし７色とすることができる。このときの特色としては、レッド、グリーン、ブルーのうちの少なくとも１色とすることができる。これによって、ＨｉＦｉカラーの色変換処理を実現することができる。
【００２５】
表色系色座標上の機器独立色信号としては、測色値であるＬ* ａ* ｂ* 色信号を用いることができる。これによって、入出力装置間における測色的な色再現を一致させることができるため、高精度な色変換を実現することができる。
【００２６】
第２の変換ステップにおける変換処理あるいは墨信号補正手段としては、ルックアップテーブルを用いることができる。これにより、墨量の変換処理を高速および高精度に実行することができる。
【００２７】
さらに、上述のような構成のカラー画像処理方法あるいはカラー画像処理装置を用いて複数の第１の色信号のそれぞれについて第２の色信号を求め、第１の色信号と第２の色信号との対をパラメータとして、任意の第１の色信号を第２の色信号に変換する色変換手段を設けた構成とすることができる。特に色変換手段として、補間機能を有したダイレクトルックアップテーブル（ＤＬＵＴ）を用いることができる。これにより、色変換処理を高速に実行することができるだけでなく、色変換精度が高い変換処理を実現することができる。
【００２８】
また、上述のような本発明のカラー画像処理方法は、コンピュータに実行させるカラー画像処理プログラムとして構成することもできる。また、そのようなカラー画像処理プログラムは、記憶媒体に格納して構成することもできる。
【発明の効果】
【００２９】
上述のような本発明の構成によれば、墨を含む４色以上からなる第１の色信号から表色系色座標上の機器独立色信号を決定し、第１の色信号の墨信号から第２の色信号の墨信号を決定し、決定した機器独立色信号を第２の色信号の３色信号に変換して、決定した第２の色信号の３色信号から第２の色信号の墨信号に相当する成分を減算して補正３色信号を決定し、決定した補正３色信号から特色信号に関するＵＣＲ処理により補正３色信号から第２の色信号の特色信号に相当する成分を減算した出力３色信号と特色信号を決定し、この出力３色信号、特色信号、先に決定した墨信号を第２の色信号として出力する。これにより、ＨｉＦｉカラーのための色変換処理として、測色的色再現を実現することに加えて、入出力装置における墨量を一致させることが可能となった。特に、従来技術であるＫｕｅｐｐｅｒｓ  Ｔｅｃｈｎｉｑｕｅや分割法をＩＣＣに準拠した色変換に適用した場合では、入力色信号となるＹＭＣＫ色信号やＹＭＣＫＯＧ色信号など機器依存の色空間から、Ｌ* ａ* ｂ* やＸＹＺ色空間のような機器独立の色信号に変換を行った際に、入力色信号の墨情報が保持されないので、カラープリンタの５色ないし７色の画像記録信号に変換した際の出力の墨量は入力色信号の墨量と異なってしまうといった問題があった。しかし本発明では、入力色信号である第１の色信号の墨信号からカラープリンタ等の出力装置で用いる第２の色信号の墨信号を直接決定しているため、入出力装置における墨量を一致させることが可能であり、電子原稿を作成する編集者によって指定される墨量を忠実に再現したプリントを得ることが可能である。
【００３０】
さらに、第１の色信号における墨以外の色信号が零の場合に第２の色信号における墨以外の色信号を零と設定することにより、電子原稿中において墨１色で指定されている部分は墨１色で出力することが可能となり、黒文字や黒細線の良好な再現を実現することが可能となった。
【００３１】
加えて、入出力装置間における測色的な色再現を一致させることにより、高精度な色変換を実現可能なカラー画像処理方法および装置を提供することが可能となる。また、墨信号に相当する成分の減算処理や特色信号に関するＵＣＲ処理において、ＵＣＲ率を調整することにより、色再現性の悪化を改善することが可能となる。
【００３２】
さらに、上述のような構成のカラー画像処理方法あるいはカラー画像処理装置を用いて先に色変換のためのパラメータを決定しておいて、そのパラメータを用いて例えばＤＬＵＴなどを用いて直接、色変換することができる。これによって、色変換処理を高速に実行することができるだけでなく、色変換精度が高い変換処理を実現することができる。また、ハードウェアで本発明を実現した場合、演算量が少ないため簡易なハードウェアで実現することができる。
【００３３】
本発明によれば、このように種々の効果を奏するものである。
【発明を実施するための最良の形態】
【００３４】
図１は、本発明のカラー画像処理装置を用いたカラーＤＴＰシステムの一例を示すブロック図である。図中、１１は原稿編集装置、１２は画像処理装置、１３は画像出力装置、２１は編集装置通信部、２２はフォーマット変換部、２３はラスタライズ部、２４は色変換部、２５は出力装置通信部である。まず、本発明のカラー画像処理装置が適用されるシステムの一例としてカラーＤＴＰシステムを取り上げ、その構成例から説明する。
【００３５】
図１に示すカラーＤＴＰシステムは、全体として、原稿編集装置１１、画像処理装置１２および画像出力装置１３によって構成されている。原稿編集装置１１は、電子的な印刷原稿を作成する装置であり、ページ記述言語やラスターイメージデータの電子原稿データを画像処理装置１２に出力するものである。具体的に、原稿編集装置１１としてはパーソナルコンピュータなどの汎用のコンピュータ上で各種ＤＴＰアプリケーションにより原稿を編集する場合と、専用のコンピュータにより原稿を編集する場合がある。
【００３６】
汎用のコンピュータを使用する場合は、各種のＤＴＰソフトウェアを用いて電子原稿を編集する。作成された電子原稿は例えばＡｄｏｂｅ社のＰｏｓｔＳｃｒｉｐｔ（登録商標）プリンタドライバによりページ記述言語であるＰｏｓｔＳｃｒｉｐｔ（登録商標）に変換され、イーサネット（登録商標）などのネットワークによって画像処理装置１２に出力される。ＤＴＰ用パソコンから画像処理装置１２に送出する際のページ記述言語としては、ＰｏｓｔＳｃｒｉｐｔ（登録商標）に限られるものではなく、ページ記述言語であればどのようなものでも良いことは明らかである。
【００３７】
専用のコンピュータを使用する場合はＣｏｌｏｒ  Ｅｌｅｃｔｒｉｃ  Ｐｒｅｐｒｅｓｓ  Ｓｙｓｔｅｍ（以下ＣＥＰＳと表記する）と呼ばれる専用のワークステーションとアプリケーションにより電子原稿を編集することができる。作成された電子原稿は例えばラスターイメージデータの標準規格であるＴＩＦＦ／ＩＴフォーマットや印刷用の電子データとして広く普及しているＳｃｉｔｅｘフォーマット等のラスター情報の形式で、イーサネット（登録商標）などのネットワークにより画像処理装置１２に出力される。もちろん、ＣＥＰＳから画像処理装置１２に送出するラスター情報としてはＴＩＦＦ／ＩＴに限られるものではなく、ラスター形式の画像データであればどのような画像フォーマットを用いても良いことは明らかである。
【００３８】
電子原稿での色信号としては、カラーＤＴＰにおいては出力機器として印刷機を想定することが一般的であり、イエロー、マゼンタ、シアンおよび墨の所謂ＹＭＣＫ色信号を用いて、電子原稿の色が指定される。また、近年色域の拡大により画質向上を狙ったＨｉＦｉカラー印刷と呼ばれる５色以上のインクを用いた印刷技術が存在するが、その場合は通常、ＹＭＣＫ色信号に特色としてレッド、グリーンおよびブルーを１色ないし３色加えた５色ないし７色の色信号を用いて電子原稿を表現する。本実施例においては電子原稿上の色信号として、ＨｉＦｉカラー印刷の一種であるヘキサクローム印刷を想定し、ＹＭＣＫ色信号にオレンジとグリーンを加えた６色で色再現を行うＹＭＣＫＯＧ色信号を用いることとして説明する。しかし、４色以上の色信号で墨を含んでいればどのような色信号でも良いのは明らかである。
【００３９】
画像処理装置１２は、全体として、編集装置通信部２１、フォーマット変換部２２、ラスタライズ部２３、色変換部２４および出力装置通信部２５によって構成されており、原稿編集装置１１から入力されたコード情報やラスター情報の電子原稿を、画像出力装置１３で出力可能な形式に変換して画像出力装置１３に出力する。
【００４０】
原稿編集装置１１から送信されるＹＭＣＫ、ＹＭＣＫＯＧおよびＹＭＣＫＲＧＢ等の色信号で指定された電子原稿は、編集装置通信部２１によってＬＡＮ等のネットワークを通じて受け取られ、フォーマット変換部２２及びラスタライズ部２３に転送される。ページ記述言語はラスタライズ部２３によって画像出力装置１３で出力可能な形式のラスター形式の画像データに変換される。ＴＩＦＦ／ＩＴのようなラスター形式の画像データはフォーマット変換部２２において解像度変換およびフォーマット変換処理され、画像出力装置１３で出力可能な形式のラスター形式の画像データに変換される。
【００４１】
ラスタライズ部２３およびフォーマット変換部２２から転送されるＹＭＣＫＯＧ色信号は、色変換部２４により画像出力装置１３の画像記録信号であるイエロー、マゼンタ、シアンおよび墨に特色としてレッド、グリーンおよびブルーのうちの少なくとも１色を追加した５色ないし７色のＨｉＦｉカラーの画像記録信号に変換される。以下の説明では、特色の具体例としてレッド、グリーンおよびブルーの３色を想定し、イエロー、マゼンタ、シアンおよび墨とともにレッド、グリーンおよびブルーを用いたＹＭＣＫＲＧＢ７色の画像記録信号に変換されるものとする。もちろん、使用する特色はレッド、グリーンおよびブルーに限定されるものではない。
【００４２】
色変換部２４で色変換された画像記録信号は出力装置通信部２５に転送される。出力装置通信部２５では、色変換部２４までの処理が施された画像記録信号を蓄積し、適宜画像出力装置１３に転送することにより、画像処理装置１２と画像出力装置１３との処理速度の違いを吸収する。そして、画像出力装置１３において、ＹＭＣＫＲＧＢ７色のラスター形式の画像記録信号に従って、用紙上に画像が形成される。
【００４３】
画像出力装置１３としては、５色以上の色信号で画像を記録するものであればどのような装置でもよい。例えば電子写真方式のカラープリンタ、印刷、インクジェット方式、熱転写方式および銀塩写真方式などのカラー画像出力装置であれば、どのような画像出力装置でもよい。
【００４４】
次に、本発明のカラー画像処理装置あるいは本発明のカラー画像処理方法を実現した構成である色変換部２４について説明する。図２は、色変換部の第１の実施の形態を示すブロック図である。図中、３１は機器独立色空間変換部、３２は階調補正部、３３は非墨色判定部、３４は３原色信号変換部、３５は墨量減算部、３６はクロマチックＵＣＲ変換部、３７は非墨色修正部、３８は画像記録信号出力部である。
【００４５】
ラスタライズ部２３およびフォーマット変換部２２から色変換部２４に転送されたＹＭＣＫＯＧ色信号は、機器独立色空間変換部３１、階調補正部３２および非墨色判定部３３に入力される。機器独立色空間変換部３１では、入力されたＹＭＣＫＯＧ色信号から機器独立の色空間であるＬ* ａ* ｂ* 色信号を決定し、３原色信号変換部３４に転送する。
【００４６】
また階調補正部３２では、ラスタライズ部２３およびフォーマット変換部２２から入力された墨量Ｋ色信号から、そのＫ色信号と同一またはほぼ同一の明度で画像出力装置１３で表現されるように、画像出力装置１３における墨量Ｋ’色信号を決定し、墨量減算部３５と画像記録信号出力部３８に転送する。
【００４７】
さらに非墨色判定部３３では、入力されたＹＭＣＯＧ色信号が全て零であるか否かを判定し、全て零の場合は判定信号Ｆｌａｇを非墨色修正部３７に転送する。
【００４８】
３原色信号変換部３４は、機器独立色空間変換部３１から入力されたＬ* ａ* ｂ* 色信号から画像出力装置１３における補色系の３原色信号であるＹ”Ｍ”Ｃ”色信号への変換を行い、墨量減算部３５に転送する。
【００４９】
墨量減算部３５では、３原色信号変換部３４から入力されたＹ”Ｍ”Ｃ”色信号からＫ’色信号に相当する成分を減算して補正３原色信号であるＹ''' Ｍ''' Ｃ''' 色信号を決定し、クロマチックＵＣＲ変換部３６に転送する。なお、一般にこのステップではＵＣＲによって墨量を生成する処理となる場合が多いが、本発明では入力された墨量Ｋ色信号から階調補正部３２で墨量Ｋ’色信号を直接得ており、ここでは墨量の生成を行わない。逆に、階調補正部３２で得た墨量Ｋ’色信号を用いてＹ”Ｍ”Ｃ”色信号を補正し、Ｙ''' Ｍ''' Ｃ''' 色信号を決定しており、従来の色処理とは大きく異なっている。
【００５０】
クロマチックＵＣＲ変換部３６では、墨量減算部３５から入力されたＹ''' Ｍ''' Ｃ''' 色信号から特色信号であるＲ’Ｇ’Ｂ’色信号に関するＵＣＲ処理により出力３色信号であるＹ’Ｍ’Ｃ’色信号と特色信号であるＲ’Ｇ’Ｂ’色信号を決定し、非墨色修正部３７に転送する。
【００５１】
非墨色修正部３７では、非墨色判定部３３より判定信号Ｆｌａｇが入力された場合にＹ’Ｍ’Ｃ’色信号とＲ’Ｇ’Ｂ’色信号を零として画像記録信号部３８に転送する。なお、判定信号Ｆｌａｇが入力されない場合には、クロマチックＵＣＲ変換部３６から受け取ったＹ’Ｍ’Ｃ’色信号とＲ’Ｇ’Ｂ’色信号を画像記録信号部３８に転送する。
【００５２】
画像記録信号出力部３８は、非墨色修正部３７から入力されるＹ’Ｍ’Ｃ’Ｒ’Ｇ’Ｂ’色信号と階調補正部３２から入力されるＫ’色信号を出力装置通信部２５に転送する。これにより、色変換部２４での色変換処理が完了する。
【００５３】
次に、各部における処理について具体的に説明してゆく。まず、機器独立色空間変換部３１としては、色変換回路として広く用いられているマトリックス演算型の色変換回路やダイレクトルックアップテーブル型の色変換回路やニューラルネットワーク型の色変換回路を使用することが可能である。この具体例では、６入力３出力のニューラルネットワーク型の色変換回路を使用した。
【００５４】
機器独立色空間変換部３１の色変換パラメータとしては、以下に示す方法で決定することができる。まず、原稿編集装置１１から入力されるヘキサクローム印刷の任意のＹＭＣＫＯＧ色信号の組み合わせに対する印刷物のパッチを出力し、その測色値（Ｌ* ａ* ｂ* ）を市販の測色計で測定し、入力するＹＭＣＫＯＧ色信号に対応する印刷の測色値（Ｌ* ａ* ｂ* ）を求めて、入力データ（ＹＭＣＫＯＧ）に対する測色値（Ｌ* ａ* ｂ* ）の変換特性をモデル化する。そのようなモデルには高次多項式やニューラルネットワークが用いられている。この具体例では、ニューラルネットワークにＹＭＣＫＯＧデータとＬ* ａ* ｂ* データの組み合わせを学習させ、入力するヘキサクローム印刷の色特性をモデル化した。機器独立色空間変換部３１としては、求めたニューラルネットワークをそのまま使用すればよい。
【００５５】
この具体例で用いるニューラルネットワークとしては、例えば文献「フレキシブルＵＣＲによる高精度色変換〜ニューラルネットワークによる高精度プリンタモデル〜」、村井和昌、Ｊａｐａｎ  Ｈａｒｄ  Ｃｏｐｙ  ’９４論文集、ｐｐ．１８１−１８４に示されているニューラルネットワークを用い、バックプロバケーション法により学習を行うことができる。この文献における画像記録信号はＹＭＣＫ４色であるが、ニューラルネットワークにおける１層目の細胞数を４個から６個に増やすことにより、画像記録信号が６色のＨｉＦｉカラー用の色変換モデルとして使用することが可能である。もちろん、色変換モデルとしてニューラルネットワークを用いるほか、他の多項式モデルや変換テーブル方式の色変換モデルも適用することが可能である。
【００５６】
また、ヘキサクローム印刷の色特性のモデル化に使用した画像記録信号ＹＭＣＫＯＧの組み合わせとしては、例えば、各色の網点面積率が２５％刻みの５×５×５×５×５×５＝１５６２５個のパッチの組み合わせを印刷機で出力し、測色し、パッチと測色値を対にして用いることができる。測色は、例えば測色計としてＸ−Ｒｉｔｅ社の測色計であるＸ−Ｒｉｔｅ９３８を使用し、測定条件はＤ５０、２度視野のＬ* ａ* ｂ* を測定することにより行うことができる。測定に用いる色パッチの数は任意の数を使用することが可能であるが、色変換モデルの高精度化のためにできるだけ多いパッチ数が望ましい。測定に用いた表色系としては、ここでは均等色空間であるＬ* ａ* ｂ* 表色系を使用したが、ＸＹＺ表色系などの他の表色系でも良い。ただし、ニューラルネットワークを学習する際に色差を評価するため、均等色空間が好ましい。
【００５７】
さらに、機器独立色空間変換部３１としては、入力する色信号を６色のＹＭＣＫＯＧ色信号からなるヘキサクローム印刷に限定するものではなく、墨を含む４色以上の色信号を入力するように構成しても良いことは明らかである。印刷に用いられる墨を含む４色以上の色信号としては、通常広く用いられる４色のＹＭＣＫ色信号からなるプロセスカラー印刷や、ＹＭＣＫ４色にレッド、グリーンおよびブルーを加えた７色からなるＨｉＦｉカラー印刷がある。４色以上の色信号においても、上記と同様な方法により機器独立色空間へ変換することが可能である。例えば７色の色信号が入力される場合には、７入力３出力のニューラルネットワークを機器独立色空間変換部３１に適用すればよい。
【００５８】
次に、階調補正部３２としては、１次元のルックアップテーブルを用いて、入力される印刷の墨１色のＫ色信号を出力装置１３において等価な明度となるような墨１色のＫ’色信号に変換することができる。ルックアップテーブルの作成方法としては、印刷と画像出力装置１３について、網点面積率を８ビットに量子化し、それぞれの網点面積率を０から２５５に変化させたときの明度Ｌ* を測定しておき、入力墨量Ｋの時の明度Ｌ* から同じ明度となる出力墨量Ｋ’の値を求めてルックアップテーブルの値に設定すればよい。
【００５９】
ここでは高速および高精度に入出力の墨量の階調を補正するために、階調補正部３２として１次元のルックアップテーブルを用いたが、関数式等、１次元の入出力関係を記述できるものであればどのようなものでもよい。また、ルックアップテーブルを用いる場合、その量子化分割数も８ビットに限るものではないのは明らかである。さらに、ここでは入出力装置間の墨量の明度を一致させるように階調補正部３２の変換特性を設定したが、入出力装置間の墨量の濃度を一致させるように変換特性を設定しても良い。また、入出力装置における墨量の明度や濃度は一致させるのが望ましいが、完全に一致させなくても、ほぼ同等の明度や濃度となるように変換特性を設定しても良い。
【００６０】
次に、３原色信号変換部３４では、機器独立色空間変換部３１から得られるＬ* ａ* ｂ* 色信号を、画像出力装置１３における補色系の３原色であるＹ”Ｍ”Ｃ”色信号へ変換する。このような測色値から補色系の３原色への３入力３出力の色変換としては、ＩＣＣが提案する仕様に基づいたＣＭＳに代表される公知の色変換処理方法を用いることが可能である。例えば、３次元のダイレクトルックアップテーブルにより、Ｌ* ａ* ｂ* 色信号からＹ”Ｍ”Ｃ”色信号への変換を行うことができる。
【００６１】
３原色信号変換部３４の一例としては、３次元のＤＬＵＴを用いることができる。例えば、入力のＬ* ａ* ｂ* 色信号の各軸を１６分割した値を入力アドレスとし、その入力アドレスをもとに得られる複数の格子点の値から３次元の立方体補間により補間演算を行って、画像出力装置１３における補色系の３原色であるＹ”Ｍ”Ｃ”色信号を算出する３次元のＤＬＵＴを用いることができる。もちろん、補間方式としては立方体補間方式に限らず、公知の補間方式であれば三角柱補間や四面体補間などの他の方式を適用しても良い。また、入力の各軸の分割数も１６分割に限るものではないことは明らかである。
【００６２】
３原色信号変換部３４における３次元のダイレクトルックアップテーブルの色変換パラメータは以下に示す方法で決定することができる。まず、機器独立色空間変換部３１の色変換パラメータを決定した場合と同様に、画像出力装置１３の任意のＹ’Ｍ’Ｃ’色信号の組み合わせに対する色パッチを出力し、その測色値（Ｌ* ａ* ｂ* ）を市販の測色計で測定し、入力色信号であるＹ’Ｍ’Ｃ’色信号に対応する画像出力装置１３の測色値（Ｌ* ａ* ｂ* ）を求めて、入力データ（Ｙ’Ｍ’Ｃ’）に対する測色値（Ｌ* ａ* ｂ* ）の変換特性をモデル化する。このモデル化は、機器独立色空間変換部３１の色変換パラメータを決定した場合と同様に、ニューラルネットワークを用いて画像出力装置１３の色特性をモデル化することができる。もちろん、色変換モデルとしてニューラルネットワークを用いるほか、他の多項式モデルや変換テーブル方式の色変換モデルも適用することも可能である。
【００６３】
画像出力装置の色特性のモデル化に使用した画像記録信号Ｙ’Ｍ’Ｃ’の組み合わせとしては、例えば、各色の網点面積率が１０％刻みの１１×１１×１１＝１３３１個のパッチの組み合わせを画像出力装置１３で出力して測色し、得ることができる。測色条件は、機器独立色空間変換部３１の場合と同様に、測色計としてＸ−Ｒｉｔｅ社の測色計であるＸ−Ｒｉｔｅ９３８を使用し、測定条件はＤ５０、２度視野のＬ* ａ* ｂ* を用いた。測定に用いる色パッチの数は任意の数を使用することが可能であるが、色変換モデルの高精度化のためにできるだけ多いパッチ数が望ましい。測定に用いた表色系としては、ここでは均等色空間であるＬ* ａ* ｂ* 表色系を使用したが、ＸＹＺ表色系などの他の表色系でも良い。ただし、ニューラルネットワークを学習する際に色差を評価するため、均等色空間が好ましい。
【００６４】
ここで、ニューラルネットワークによる色変換モデルは次の関数で表すことが出来る。
（Ｌ* ，ａ* ，ｂ* ）＝Ｆ（Ｙ”，Ｍ”，Ｃ”）            …（１）
（１）式は３入力３出力の非線形関数であるので、（１）式に３原色信号変換部３４における３次元ダイレクトルックアップテーブルの入力アドレスであるＬ* ，ａ* ，ｂ* 色信号を入力し、ニュートン法などの公知の数値解法を用いて、測色的に一致するＹ”Ｍ”Ｃ”色信号を求めることが可能である。算出したＹ”Ｍ”Ｃ”色信号を３次元ダイレクトルックアップテーブルの格子点に設定すればよい。このように、画像出力装置１３の色変換モデルを解くことにより、３原色信号変換部３４の色変換パラメータを決定することが可能である。
【００６５】
ここでは３原色信号変換部３４から出力されるＹ”Ｍ”Ｃ”色信号の色空間として、画像出力装置１３におけるＹＭＣ色空間を用いているが、色変換精度や色域の活用度等を考慮して、他のＹＭＣ色空間を用いても良い。さらに、補色系の３原色であるＹＭＣ色空間ではなく、原色系の３原色であるＲＧＢ色空間への変換を行うようにしても良い。
【００６６】
次に、墨量減算部３５では、上述のように、３原色信号変換部３４から入力されたＹ”Ｍ”Ｃ”色信号から、階調補正部３２から得られるＫ’色信号に相当する部分を減算し、Ｙ''' Ｍ''' Ｃ''' 色信号へ変換する。ここでは、以下に示す（２）式から（７）式に基づく演算により、Ｙ”Ｍ”Ｃ”色信号からＫ’色信号に相当する部分を減算する処理を実現している。ここで（４）式においては、条件判断が必要なため、ここでは演算をＣ言語の文法で記述している。
Ｋａｃｒｏ＝ＵＣＲａｃｒｏ（Ｋ’）×Ｋ’            …（２）
Ｋｍｉｎ＝ｍｉｎ（Ｙ”，Ｍ”，Ｃ”）                …（３）
ｉｆ（Ｋａｃｒｏ＞Ｋｍｉｎ）  Ｋａｃｒｏ＝Ｋｍｉｎ  …（４）
Ｙ''' ＝Ｙ”−Ｋａｃｒｏ                            …（５）
Ｍ''' ＝Ｍ”−Ｋａｃｒｏ                            …（６）
Ｃ''' ＝Ｃ”−Ｋａｃｒｏ                            …（７）
【００６７】
ここで、ＫａｃｒｏはＫ’色信号とＹ”Ｍ”Ｃ”色信号から決定されるＹ”Ｍ”Ｃ”色信号のアクロマチック成分を表している。ＵＣＲａｃｒｏ（Ｋ’）はアクロマチック成分のＵＣＲ関数であり、Ｋ’色信号に対してアクロマチック成分のＵＣＲ率を定義した関数である。通常、Ｙ”Ｍ”Ｃ”色信号からＫ’色信号に相当する部分を減算するためには、ＵＣＲａｃｒｏ（Ｋ’）を定率の１００％と設定するのが望ましいが、ＫａｃｒｏをＵＣＲａｃｒｏ（Ｋ’）で制御することにより、例えば、高明度部における彩度低下などの色再現性の悪化を改善するために、Ｋ’色信号が高明度部の場合にＵＣＲ率を低く設定するなど、色再現性を考慮してＵＣＲ率を調整することができる。Ｋａｃｒｏは（２）式に示すように、Ｋ’色信号にアクロマチック成分のＵＣＲ率であるＵＣＲａｃｒｏ（Ｋ’）を乗ずることにより、決定することができる。
【００６８】
Ｋｍｉｎは（３）式に示すように、Ｙ”Ｍ”Ｃ”色信号の最小値であり、Ｙ”Ｍ”Ｃ”色信号のアクロマチック成分を表している。（４）式において、ＫａｃｒｏがＫｍｉｎを超えていた場合はＫｍｉｎに規制することにより、Ｙ”Ｍ”Ｃ”色信号から減算されるアクロマチック成分が最大値を超えることが無くなり、彩度低下などの色再現性の悪化を防止することが可能となる。また、Ｙ''' Ｍ''' Ｃ''' 色信号は（５）〜（７）式に示すように、Ｙ”Ｍ”Ｃ”色信号よりアクロマチック成分Ｋａｃｒｏを差し引くことにより、算出することができる。
【００６９】
上述の例では、（２）式から（７）式に基づく演算により、Ｙ”Ｍ”Ｃ”色信号からＫ’色信号に相当する部分を減算するＵＣＲ処理を実現したが、演算処理の単純化のために、（２）式から（４）式の演算を省略して（５）式から（７）式においてＫａｃｒｏの代わりにＫ’色信号を直接減算するようにしても良い。
【００７０】
次に、クロマチックＵＣＲ変換部３６では、墨量減算部３５から得られるＹ''' Ｍ''' Ｃ''' 色信号から特色量Ｒ’Ｇ’Ｂ’色信号を算出し、Ｙ''' Ｍ''' Ｃ''' 色信号から特色量Ｒ’Ｇ’Ｂ’色信号（クロマチック成分）に相当する成分をＵＣＲ処理により減算してＹ’Ｍ’Ｃ’色信号への変換を行う。例えば、以下に示す（８）式から（１４）式に基づく演算によりクロマチック成分に関するＵＣＲ処理を実現することができる。ここで（１２）式から（１４）式においては、条件判断が必要なため、ここでは演算をＣ言語の文法で記述している。
Ｒｃｒｏ＝ｍｉｎ（Ｙ''' ，Ｍ''' ）                        …（８）
Ｇｃｒｏ＝ｍｉｎ（Ｙ''' ，Ｃ''' ）                        …（９）
Ｂｃｒｏ＝ｍｉｎ（Ｃ''' ，Ｍ''' ）                        …（１０）
Ｃｍａｘ＝ｍａｘ（Ｒｃｒｏ，Ｇｃｒｏ，Ｂｃｒｏ）          …（１１）
ｉｆ（Ｃｍａｘ＝＝Ｒｃｒｏ）｛
Ｒ’＝ＵＣＲｒ（Ｒｃｒｏ）×Ｒｃｒｏ
Ｇ’＝０
Ｂ’＝０
Ｙ’＝Ｙ''' −Ｒ’
Ｍ’＝Ｍ''' −Ｒ’
Ｃ’＝Ｃ''' 
｝                                                      …（１２）
ｅｌｓｅ  ｉｆ（Ｃｍａｘ＝＝Ｇｃｒｏ）｛
Ｒ’＝０
Ｇ’＝ＵＣＲｇ（Ｇｃｒｏ）×Ｇｃｒｏ
Ｂ’＝０
Ｙ’＝Ｙ''' −Ｇ’
Ｍ’＝Ｍ''' 
Ｃ’＝Ｃ''' −Ｇ’
｝                                                      …（１３）
ｅｌｓｅ（Ｃｍａｘ＝＝Ｂｃｒｏ）｛
Ｒ’＝０
Ｇ’＝０
Ｂ’＝ＵＣＲｂ（Ｂｃｒｏ）×Ｂｃｒｏ
Ｙ’＝Ｙ''' 
Ｍ’＝Ｍ''' −Ｂ’
Ｃ’＝Ｃ''' −Ｂ’
｝                                                      …（１４）
【００７１】
ここで、ＲｃｒｏはＹ''' Ｍ''' 色信号の最小値から決定されるＹ''' Ｍ''' 色信号のクロマチック成分（Ｒ’色信号）を表している。同様に、ＧｃｒｏはＹ''' Ｃ''' 色信号の最小値から決定されるＹ''' Ｃ''' 色信号のクロマチック成分（Ｇ’色信号）を表しており、ＢｃｒｏはＣ''' Ｍ''' 色信号の最小値から決定されるＣ''' Ｍ''' 色信号のクロマチック成分（Ｃ’色信号）を表している。
【００７２】
公知のクロマチック成分に関するＵＣＲ処理としては、特許文献１（米国特許第４８１２８９９号明細書）で示されたＫｕｅｐｐｅｒｓ  ＴｅｃｈｎｉｑｕｅにおけるＵＣＲ処理が代表的なものであるが、Ｋｕｅｐｐｅｒｓ  ＴｅｃｈｎｉｑｕｅにおけるＵＣＲ処理では、クロマチック成分に関するＵＣＲ処理の前段におけるアクロマチック成分に関するＵＣＲ処理において、ＵＣＲ率が１００％となっているため、クロマチック成分に関するＵＣＲ処理に入力されるＹ''' Ｍ''' Ｃ''' 色信号のうちの１色は零となっている。したがって、クロマチック成分に関するＵＣＲ処理では、Ｙ''' Ｍ''' Ｃ''' 色信号の零でない２色の色信号の最小値を算出することにより、特色量Ｒ’Ｇ’Ｂ’色信号のうちの１色を一意に決定することが可能であり、決定された特色量をＹ''' Ｍ''' Ｃ''' 色信号の零でない２色の色信号から減算することにより、クロマチック成分に関するＵＣＲ処理を実現させることが可能である。
【００７３】
しかしながら、本発明においては、墨量減算部３５に入力される墨量Ｋ’色信号は電子原稿上で指定される墨量Ｋ色信号に依存するため、Ｙ”Ｍ”Ｃ”色信号からＵＣＲ率が１００％の条件で墨量Ｋ’色信号に相当する成分を減算しても、Ｙ''' Ｍ''' Ｃ''' 色信号のうちの１色の色信号が零になるとは限らない。さらに、墨量減算部３５おいてＵＣＲ率を１００％より低く設定した場合においても同様なことが言える。したがって、本発明に公知のクロマチック成分に関するＵＣＲ処理を適用することはできないと考えられる。
【００７４】
そこで本発明では、（１１）式によりクロマチック成分であるＲｃｒｏ、ＧｃｒｏおよびＢｃｒｏの最大値Ｃｍａｘを算出し、（１２）式から（１４）式に基づいた演算処理により、クロマチック成分が最大値となる組み合わせに対して、特色量Ｒ’Ｇ’Ｂ’色信号を決定し、Ｙ''' Ｍ''' Ｃ''' 色信号から特色量に相当する成分をＵＣＲ処理により減算してＹ’Ｍ’Ｃ’色信号への変換を行うように処理系を構成した。
【００７５】
このように、クロマチック成分が最大値となるような組み合わせに対してＵＣＲ処理を行うことにより、Ｙ''' Ｍ''' Ｃ''' 色信号のうちの１色が零となっていなくても色再現に使用する特色を決定することが可能となる。加えて、画像出力装置１３におけるトナーやインクなどの色材の使用量を減らすことが可能となり、低コストが図れる。それとともに、特色を効率的に使った色再現が図れるので、高彩度な色再現を実現することが可能である。ただし、（１２）式から（１４）式において、Ｒｃｒｏ，ＧｃｒｏおよびＢｃｒｏが全て等しい場合や、Ｃｍａｘに等しいクロマチック成分が２色存在する場合においては、特色はＲ’、Ｇ’、Ｂ’の順に優先されて色再現に使用されることになる。上述の例においては、特色を色再現に用いる優先順位をＲ’、Ｇ’、Ｂ’の順に設定したが、優先順位はこの順番に限るものではないことは明らかである。
【００７６】
ここで、ＵＣＲｒ（Ｒｃｒｏ）、ＵＣＲｇ（Ｇｃｒｏ）およびＵＣＲｂ（Ｂｃｒｏ）はクロマチック成分のＵＣＲ関数であり、クロマチック成分であるＲｃｒｏ、ＧｃｒｏおよびＢｃｒｏに対してそれぞれのＵＣＲ率を定義した関数である。特色量Ｒ’Ｇ’Ｂ’色信号は、（１２）式から（１４）式に示すように、Ｒｃｒｏ、ＧｃｒｏおよびＢｃｒｏにクロマチック成分のＵＣＲ率であるＵＣＲｒ（Ｒｃｒｏ）、ＵＣＲｇ（Ｇｃｒｏ）およびＵＣＲｂ（Ｂｃｒｏ）をそれぞれ乗ずることにより、決定することができる。
【００７７】
通常、Ｙ''' Ｍ''' Ｃ''' 色信号から特色量Ｒ’Ｇ’Ｂ’色信号に相当する部分を減算するためには、ＵＣＲ率を定率の１００％と設定するのが望ましいが、特色量Ｒ’Ｇ’Ｂ’色信号をＵＣＲ関数で制御することにより、例えば、低明度部における明度上昇などの色再現性の悪化を改善するために、特色量Ｒ’Ｇ’Ｂ’色信号が低明度部の場合にＵＣＲ率を低く設定するなど、色再現性を考慮してＵＣＲ率を調整することができる。
【００７８】
ここでは（８）式から（１４）式に基づく演算により、Ｙ''' Ｍ''' Ｃ''' 色信号から特色量Ｒ’Ｇ’Ｂ’色信号に相当する成分を減算するＵＣＲ処理を実現したが、演算処理の単純化のために、（１２）式から（１４）式におけるＵＣＲ関数を省略して、Ｒｃｒｏ，ＧｃｒｏおよびＢｃｒｏを直接特色量Ｒ’Ｇ’Ｂ’色信号に決定しても良い。
【００７９】
次に、非墨色判定部３３では入力されるＹＭＣＯＧ５色の色信号が同時に零になっているか否かを判定し、零になっている場合に判定フラグＦｌａｇを非墨色修正部３７に転送する。非墨色修正部３７では、クロマチックＵＣＲ変換部３６で得られたＹ’Ｍ’Ｃ’Ｒ’Ｇ’Ｂ’色信号を非墨色判定部３３から判定フラグＦｌａｇを受信した場合にすべて零に修正する。これにより、電子原稿中において墨１色で表現されている黒文字や黒細線を墨１色で表現することができ、黒文字や黒細線の再現性を大幅に向上させることが可能になる。一方、入出力で墨１色になっている部分では、印刷と画像出力装置１３との色材の違いや画像構造の違いから、明度を一致させてもＹ’Ｍ’Ｃ’Ｒ’Ｇ’Ｂ’色信号を零に修正することにより若干の色差が生じてしまうが、視覚上問題にならないレベルである。
【００８０】
ここでは、非墨色修正部３７においてクロマチックＵＣＲ変換部３６で得られたＹ’Ｍ’Ｃ’Ｒ’Ｇ’Ｂ’色信号を非墨色判定部３３から判定フラグＦｌａｇを受信した場合にすべて零に修正するように構成したが、より入出力での色一致精度を重視する場合は、Ｙ’Ｍ’Ｃ’Ｒ’Ｇ’Ｂ’色信号の修正処理を行わないように構成しても良い。ただし、黒文字や黒細線の墨１色再現を確実に保証するためには、本発明のように非墨色修正部３７におけるＹ’Ｍ’Ｃ’Ｒ’Ｇ’Ｂ’色信号の修正処理を行うように構成したほうが望ましい。
【００８１】
最後に画像記録信号出力部３８により出力装置通信部２５に画像出力装置１３に入力する画像記録信号であるＹ’Ｍ’Ｃ’Ｋ’Ｒ’Ｇ’Ｂ’色信号を転送することにより、色変換部２４での色変換処理が完了する。
【００８２】
図３は、本発明と従来技術との色変換特性の比較結果の説明図である。本発明の有効性を確認するために、本発明の場合において色変換部２４を本実施例のように構成した場合と、特許文献１（米国特許第４８１２８９９号明細書）に代表されるＫｕｅｐｐｅｒｓ  ＴｅｃｈｎｉｑｕｅをＩＣＣに準拠した色変換処理に適用した場合と、特許文献３（特開平１２１−１３６４０１号公報）に代表される分割法をＩＣＣに準拠した色変換処理に適用した場合について、入出力における墨量の一致と墨１色再現を評価した。その結果を図３に示している。
【００８３】
本発明以外の色変換部２４の構成については、ヘキサクローム印刷のＹＭＣＫＯＧ色信号から機器独立のＬ* ａ* ｂ* 色信号への変換はＩＣＣに準拠した公知の６入力３出力のＤＬＵＴにより色変換を行い、Ｋｕｅｐｐｅｒｓ  Ｔｅｃｈｎｉｑｕｅの場合は、公知の３入力３出力ＤＬＵＴによりＬ* ａ* ｂ* 色信号からＲＧＢ色信号への変換を行い、ＲＧＢ色信号からＹ’Ｍ’Ｃ’Ｋ’Ｒ’Ｇ’Ｂ’色信号への変換は特許文献１の実施例をそのまま適用した。なお、特許文献１においては、ＵＣＲ率は定義されていないが、アクロマチック成分およびクロマチック成分に関するＵＣＲ関数は定率の１００％に相当すると考えられる。分割法の場合は、Ｌ* ａ* ｂ* 色信号からＹ’Ｍ’Ｃ’Ｋ’Ｒ’Ｇ’Ｂ’色信号への変換は、特許文献１と近い墨量と特色量の入力条件とするために、特許文献３の実施例におけるｍａｘ  Ｂｌａｃｋ（墨量が最大となる条件を表す）およびｍａｘ  ＨＦＣ（特色量が最大となる条件を表す）の条件をそのまま適用した。本発明においても、特許文献１と近い墨量と特色量の入力条件とするために、アクロマチック成分およびクロマチック成分に関するＵＣＲ関数は定率の１００％とした。
【００８４】
入力する色信号としては、電子原稿における黒文字や黒細線の例として、入力色信号が墨単色の場合（Ｋが１００％でＹＭＣＯＧが０％）の色変換結果を図３（Ａ）に示し、電子原稿における自然画の高明度部から中明度部の例として、入力色信号に墨がない場合（ＹＭＣが５０％でＫＯＧが０％）の色変換結果を図３（Ｂ）に示している。
【００８５】
図３（Ａ）からわかるように、本発明では入力色信号が墨単色の場合には、墨Ｋ信号を保存する墨Ｋ’信号を得るとともに、非墨色判定部３３で墨単色であることを検出して墨Ｋ’信号以外を零に補正するため、入力画像と等しい墨量が得られ、墨単色での再現が可能である。これに対して従来技術である分割法では、入力画像とほぼ等しい墨量が得られるものの、墨の単色再現が不可能であることがわかる。また、Ｋｕｅｐｐｅｒｓ  Ｔｅｃｈｎｉｑｕｅでは、ほぼ本発明に近い色変換結果が得られるが、ブルーの色信号が若干のっており、完全に墨単色での再現を実現していないことがわかる。このように、従来技術では入力色信号が墨単色の場合に、墨単色での再現が不可能であるため、黒文字や黒細線の画質が悪化してしまうが、本発明では墨単色での色再現が行われるため、黒文字や黒細線などを高画質で出力することができる。
【００８６】
さらに、図３（Ｂ）からわかるように、本発明では入力色信号に墨がない場合に、この墨がない状態が階調補正部３２で保存されるため、入力画像と等しい墨量が得られ、墨入れされない。これに対して従来技術であるＫｕｅｐｐｅｒｓ  Ｔｅｃｈｎｉｑｕｅおよび分割法では、入力画像とまったく違った墨量となってしまい、墨入れされてしまうことがわかる。このように、従来技術では入力色信号に墨がない場合に、編集者の意図とは異なった墨入れがなされてしまうため、自然画の粒状性や色再現性が悪化することがわかる。本発明ではこのような墨入れが発生しないため、高画質での画像形成が可能である。また、例えば入力色信号において編集者が墨の使用を意図していない場合には、出力装置において墨を用いずに画像を形成することが可能となる。
【００８７】
このように、原稿編集装置１１で指定されたＹＭＣＫＯＧ６色の色信号に対して色変換部２４において上述のような色変換処理を行うことによって、入力である印刷の墨量と出力であるカラープリンタの墨量を一致させることが可能となる。さらに、電子原稿上において墨１色で指定された部分は墨１色で出力することが可能になる。
【００８８】
図４は、色変換部の第２の実施の形態を示すブロック図である。図中、３９はＤＬＵＴ色変換部である。この色変換部２４の第２の実施の形態では、色変換部２４を６入力７出力のＤＬＵＴ色変換部３９にて構成した例を示している。
【００８９】
ＤＬＵＴ色変換部３９は、ＹＭＣＫＯＧ色信号を入力とし、そのＹＭＣＫＯＧ色信号に対応するＹ’Ｍ’Ｃ’Ｋ’Ｒ’Ｇ’Ｂ’色信号を出力する６次元のダイレクトルックアップテーブル（ＤＬＵＴ）で構成されている。例えば、入力のＹＭＣＫＯＧ色信号の各軸を８分割した値を入力アドレスとし、６次元の立方体補間により補間演算を行って画像出力装置１３の画像記録信号であるＹ’Ｍ’Ｃ’Ｋ’Ｒ’Ｇ’Ｂ’色信号を算出する６次元のＤＬＵＴとすることができる。もちろん、補間方式としては立方体補間方式に限らず、公知の補間方式であれば三角柱補間や四面体補間などの他の方式を適用しても良い。また、入力の各軸の分割数も８分割に限るものではないことは明らかである。
【００９０】
ここでは色変換部２４を６次元のダイレクトルックアップテーブルにて構成したが、６入力７出力の色変換が行えればこれに限られわけではなく、ニューラルネットワークなどの公知の色変換方式であれば他の色変換方式を適用しても良い。さらに、色変換部２４に入力する色信号は、ヘキサクローム印刷のＹＭＣＫＯＧ色信号に限定されるものではなく、プロセスカラー印刷のＹＭＣＫ色信号やＨｉＦｉカラー印刷のＹＭＣＫＲＧＢ色信号など、墨を含んだ４色以上の色信号であれば良いことは明らかである。ＤＬＵＴ色変換部３９の次元数は入力される色信号の数と一致するため、例えば入力色信号がプロセスカラー印刷のＹＭＣＫ色信号の場合は、４次元のＤＬＵＴが必要であり、入力色信号がＨｉＦｉカラー印刷のＹＭＣＫＲＧＢ色信号の場合では、７次元のＤＬＵＴが必要であることは明らかである。
【００９１】
図５は、色変換部２４の第２の実施の形態におけるＤＬＵＴ色変換部３９の色変換パラメータの決定処理の一例を示すフローチャートである。なお、この処理は、上述の色変換部２４の第１の実施の形態における各部で行う処理とほぼ同様である。
【００９２】
まず、Ｓ１においてヘキサクローム印刷のＹＭＣＫＯＧ色信号および画像出力装置１３の画像記録信号Ｙ’Ｍ’Ｃ’の任意の組み合わせに対する色パッチをヘキサクローム印刷および画像出力装置１３にてプリントアウトし、測色計を用いてその時の測色値Ｌ* ａ* ｂ* を測定する。ヘキサクローム印刷のＹＭＣＫＯＧ色信号および画像出力装置１３の画像記録信号Ｙ’Ｍ’Ｃ’の組み合わせおよび測色条件は、上述の第１の実施の形態と同様でよい。
【００９３】
Ｓ２において、Ｓ１で得られた複数のＹＭＣＫＯＧおよびＹ’Ｍ’Ｃ’とＬ* ａ* ｂ* のデータセットを教師データとして、色変換モデルであるニューラルネットワーク１およびニューラルネットワーク２にそれぞれ学習させる。ニューラルネットワークは、上述の第１の実施で用いたものと同様のものでよい。なお、ニューラルネットワーク１は機器依存のＹＭＣＫＯＧ色信号を機器独立のＬ* ａ* ｂ* 色信号に変換する際の入力側機器の色変換特性をモデル化するものである。またニューラルネットワーク２は、機器独立のＬ* ａ* ｂ* 色信号から機器依存のＹ’Ｍ’Ｃ’色信号に変換する際の出力側機器の色変換特性をモデル化するものである。
【００９４】
Ｓ３において、ＤＬＵＴ色変換部３９の入力アドレス値ＹＭＣＫＯＧに対する測色値Ｌ* ａ* ｂ* をニューラルネットワーク１により決定する。
【００９５】
Ｓ４において、ＤＬＵＴ色変換部３９の入力アドレス値Ｋと等価な明度になる画像出力装置１３における墨量Ｋ’を１次元のルックアップテーブルにより決定する。１次元のルックアップテーブルの決定方法についても、上述の第１の実施の形態と同様でよい。
【００９６】
Ｓ５において、Ｓ３で求めたＬ* ａ* ｂ* をニューラルネットワーク２に入力して数値解法で解くことにより、測色的に一致するＹ”Ｍ”Ｃ”色信号を求める。Ｙ”Ｍ”Ｃ”色信号の決定には、第１の実施の形態と同様な方法を用いて決定することができる。
【００９７】
Ｓ６において、Ｓ５で求めたＹ”Ｍ”Ｃ”色信号からＳ４で求めた墨量Ｋ’に相当する成分を減算することにより、Ｙ''' Ｍ''' Ｃ''' 色信号を決定する。このＹ''' Ｍ''' Ｃ''' 色信号の決定方法についても、上述の第１の実施の形態と同様な方法でよい。
【００９８】
Ｓ７において、Ｓ６で求めたＹ''' Ｍ''' Ｃ''' 色信号から特色信号に相当するＵＣＲ処理により、Ｙ’Ｍ’Ｃ’Ｒ’Ｇ’Ｂ’色信号を決定する。特色信号に相当するＵＣＲ処理についても、上述の第１の実施の形態と同様な方法でよい。
【００９９】
Ｓ８において、ＤＬＵＴ色変換部３９の入力アドレス値ＹＭＣＯＧが全て零の場合に、Ｓ７で求めたＹ’Ｍ’Ｃ’Ｒ’Ｇ’Ｂ’色信号を全て零に修正する。
【０１００】
最後にＳ９において、得られたＹ’Ｍ’Ｃ’Ｋ’Ｒ’Ｇ’Ｂ’をＤＬＵＴ色変換部３９の格子点に設定することにより、ＤＬＵＴ色変換部３９の色変換パラメータを決定することができる。
【０１０１】
このようにしてＤＬＵＴ色変換部３９の色変換パラメータを予め決定しておく。なお、ＤＬＵＴ色変換部３９に設定されるのは、例えば入力のＹＭＣＫＯＧ色信号の各軸を８分割した格子点におけるＹ’Ｍ’Ｃ’Ｋ’Ｒ’Ｇ’Ｂ’の値である。実際に入力されるＹＭＣＫＯＧ色信号色信号は格子点に限らず、任意のＹＭＣＫＯＧ色信号が入力される。従って、色変換処理を行う際には、入力されたＹＭＣＫＯＧ色信号に基づいて１ないし複数の格子点のアドレスを生成してＹ’Ｍ’Ｃ’Ｋ’Ｒ’Ｇ’Ｂ’の値を読み出し、補間処理を行うことによって、入力されたＹＭＣＫＯＧ色信号に対応するＹ’Ｍ’Ｃ’Ｋ’Ｒ’Ｇ’Ｂ’色信号を得ることになる。
【０１０２】
このように第２の実施の形態では、上述の第１の実施の形態で示した構成のように色変換部２４で色変換処理を行う際に演算量の多い処理を行わずに、予め作成しておいたダイレクトルックアップテーブルで直接色変換を行うので、非常に高速に色変換を実現することが可能になる。また、ハードウェアで構成した場合、演算量が少ないため簡易な構成とすることができる。
【０１０３】
図６は、本発明のカラー画像処理装置の機能またはカラー画像処理方法をコンピュータプログラムで実現した場合におけるコンピュータプログラム及びそのコンピュータプログラムを格納した記憶媒体の一例の説明図である。図中、１０１はプログラム、１０２はコンピュータ、１１１は光磁気ディスク、１１２は光ディスク、１１３は磁気ディスク、１１４はメモリ、１２１は光磁気ディスク装置、１２２は光ディスク装置、１２３は磁気ディスク装置である。
【０１０４】
上述の各実施の形態で説明した色変換部２４の機能、あるいはさらに図１に示した色変換部２４以外の画像処理装置１２の構成の一部または全部を、コンピュータにより実行可能なプログラム１０１によって実現することが可能である。その場合、そのプログラム１０１およびそのプログラムが用いるデータなどは、コンピュータが読み取り可能な記憶媒体に記憶することも可能である。記憶媒体とは、コンピュータのハードウェア資源に備えられている読取装置に対して、プログラムの記述内容に応じて、磁気、光、電気等のエネルギーの変化状態を引き起こして、それに対応する信号の形式で、読取装置にプログラムの記述内容を伝達できるものである。例えば、光磁気ディスク１１１，光ディスク１１２（ＣＤやＤＶＤなどを含む）、磁気ディスク１１３，メモリ１１４（ＩＣカード、メモリカードなどを含む）等である。もちろんこれらの記憶媒体は、可搬型に限られるものではない。
【０１０５】
これらの記憶媒体にプログラム１０１を格納しておき、例えばコンピュータ１０２の光磁気ディスク装置１２１，光ディスク装置１２２，磁気ディスク装置１２３，あるいは図示しないメモリスロットにこれらの記憶媒体を装着することによって、コンピュータからプログラム１０１を読み出し、本発明の画像処理装置の機能または画像処理方法を実行することができる。あるいは、予め記憶媒体をコンピュータ１０２に装着しておき、例えばネットワークなどを介してプログラム１０１をコンピュータ１０２に転送し、記憶媒体にプログラム１０１を格納して実行させてもよい。
【０１０６】
もちろん、一部の機能についてハードウェアによって構成することもできるし、あるいは、すべてをハードウェアで構成してもよい。あるいは、原稿編集装置１１の構成も含めたプログラムとして構成したり、あるいは画像出力装置１３における制御プログラムとともに１つのプログラムとして構成することもできる。さらに、他の用途に適用する場合には、その用途におけるプログラムとの一体化も可能である。
【図面の簡単な説明】
【０１０７】
【図１】本発明のカラー画像処理装置を用いたカラーＤＴＰシステムの一例を示すブロック図である。
【図２】色変換部の第１の実施の形態を示すブロック図である。
【図３】本発明と従来技術との色変換特性の比較結果の説明図である。
【図４】色変換部の第２の実施の形態を示すブロック図である。
【図５】色変換部２４の第２の実施の形態におけるＤＬＵＴ色変換部３９の色変換パラメータの決定処理の一例を示すフローチャートである。
【図６】本発明のカラー画像処理装置の機能またはカラー画像処理方法をコンピュータプログラムで実現した場合におけるコンピュータプログラム及びそのコンピュータプログラムを格納した記憶媒体の一例の説明図である。
【符号の説明】
【０１０８】
１１…原稿編集装置、１２…画像処理装置、１３…画像出力装置、２１…編集装置通信部、２２…フォーマット変換部、２３…ラスタライズ部、２４…色変換部、２５…出力装置通信部、３１…機器独立色空間変換部、３２…階調補正部、３３…非墨色判定部、３４…３原色信号変換部、３５…墨量減算部、３６…クロマチックＵＣＲ変換部、３７…非墨色修正部、３８…画像記録信号出力部、３９…ＤＬＵＴ色変換部、１０１…プログラム、１０２…コンピュータ、１１１…光磁気ディスク、１１２…光ディスク、１１３…磁気ディスク、１１４…メモリ、１２１…光磁気ディスク装置、１２２…光ディスク装置、１２３…磁気ディスク装置。
【図１】
2005039584.tif 000003
【図２】
2005039584.tif 000004
【図３】
2005039584.tif 000005
【図４】
2005039584.tif 000006
【図５】
2005039584.tif 000007
【図６】
2005039584.tif 000008